(57)【要約】      （修正有）【課題】芳香を発し、虫歯予防効果のある歯間清掃具を提供する。【解決手段】糸張り部１０、フロス糸２０、ハンドル３０を含む。ハンドル３０の一端に糸張り部１０が設けられ、ハンドル３０の他端が延伸されて尖った細い楊枝部３１が形成される。糸張り部１０にフロス糸２０が架設され、糸張り部１０の表面に芳香材料４０が設置され、芳香材料４０がフッ化物を含有している。【選択図】図１
0003185274.tif 000002
【実用新案登録請求の範囲】
【請求項１】
糸張り部、フロス糸、ハンドルを含み、前記ハンドルの一端に前記糸張り部が設けられ、前記ハンドルの他端が延伸されて尖った細い楊枝部が形成され、前記糸張り部に前記フロス糸が架設され、前記糸張り部の表面に芳香材料が設置され、前記芳香材料がフッ化物を含有していることを特徴とする、歯間清掃具。
【請求項２】
前記糸張り部の両側表面に凹陥した円形槽が設けられ、前記円形槽の中に前記芳香材料が充填されていることを特徴とする、請求項１に記載の歯間清掃具。
【請求項３】
前記糸張り部の両側表面に凹陥した細長溝が設けられ、前記細長溝の中に前記芳香材料が充填されていることを特徴とする、請求項１に記載の歯間清掃具。
【請求項４】
糸張り部、フロス糸、ハンドルを含み、前記ハンドルの一端に前記糸張り部が設けられ、前記ハンドルの他端が延伸されて尖った細い楊枝部が形成され、前記糸張り部に前記フロス糸が架設され、前記糸張り部の表面に芳香材料及びフッ化物含有材料が設置されていることを特徴とする、歯間清掃具。
【請求項５】
前記糸張り部の両側表面に凹陥した円形槽と細長溝が設けられ、前記円形槽及び細長溝のいずれか一方の中に前記芳香材料が充填され、他方の中に前記フッ化物含有材料が充填されていることを特徴とする、請求項４に記載の歯間清掃具。
【請求項６】
前記芳香材料がペースト状であることを特徴とする、請求項１又は４に記載の歯間清掃具。
【請求項７】
前記糸張り部がアーチ部と、前記アーチ部の両端から同一側の方向に延伸された第１アーム及び第２アームを備え、前記第１アームと前記第２アームの先端部に同一直線上に位置する第１穿通孔と第２穿通孔がそれぞれ形成され、前記第１アーム及び第２アームの外側面において、前記第１穿通孔と前記第２穿通孔が形成された位置に第１凹陥部と第２凹陥部をそれぞれ設け、前記フロス糸が前記第１穿通孔と前記第２穿通孔に挿通されると共に、前記フロス糸の両端部が前記第１凹陥部及び前記第２凹陥部の内部で溶融されて固定されたことを特徴とする、請求項１又は４に記載の歯間清掃具。
【考案の詳細な説明】
【技術分野】
【０００１】
本考案は、歯間清掃具に関する。
【背景技術】
【０００２】
保健衛生の概念が普及し、口腔の衛生と保健が多くの人々に重視されるようになり、中でも歯の清掃は口腔保健衛生の重点である。
歯ブラシと歯磨き粉の使用は大部分の人が歯を清掃する際の主な方法であるが、専門家と医師の意見によると、フロス糸が現在最も効果的に歯を掃除できる用品であるとされている。しかし、フロス糸の使用時の操作は比較的困難であり、一般の人々は長時間の練習を経なければ使用時の操作に熟練することができないため、フロス糸の使用割合は低い傾向がある。
【０００３】
フロス糸の操作が難しい問題を解決するため、歯間清掃具がフロス糸の好ましい代替品となりつつある。歯間清掃具はフロス糸に近い使用効果を備えている一方で、フロス糸のような操作と使用上の困難がないため、一般の人々にとってフロス糸以外の好ましい選択となっている。
現在よく見うけられる歯間清掃具は、Ｆ字形とＹ字形の２種類に大別することができる。Ｆ字形はフロス糸が歯間清掃具のハンドルの側面に位置し、Ｙ字形はフロス糸が於歯間清掃具の上端に位置する。Ｆ字形の歯間清掃具が中でも最もよく見うけられる歯間清掃具である。
【０００４】
歯間清掃具の清掃効果は歯磨き粉より優れているが、歯磨き粉のように使用後口腔内をさっぱりさせ、虫歯を予防する効果はない。
一方、歯間清掃具は大量生産の過程において、フロス糸を複数の歯間清掃具のフレームに連続で穿通させてから、機器を利用して余分な末端を切除しており、切断されたフロス糸の末端が尖った辺縁を形成しやすく、使用の過程で注意しないと歯茎が傷付いたり、不快感を与えたりすることがある。
【考案の概要】
【考案が解決しようとする課題】
【０００５】
本考案が解決しようとする第１の課題は、芳香を発し、虫歯予防効果のある歯間清掃具を提供することにある。
本考案が解決しようとする第２の課題は、安全で歯茎を傷つけることがない、歯間清掃具を提供することにある。
【課題を解決するための手段】
【０００６】
本考案の歯間清掃具は、上記第１の課題を解決するために、糸張り部、フロス糸、ハンドルを含み、前記ハンドルの一端に前記糸張り部が設けられ、前記ハンドルの他端が延伸されて尖った細い楊枝部が形成され、前記糸張り部に前記フロス糸が架設され、前記糸張り部の表面に芳香材料が設置され、前記芳香材料がフッ化物を含有している。
前記糸張り部の両側表面に凹陥した円形槽が設けられ、前記円形槽の中に前記芳香材料が充填されていることがある。
または、前記糸張り部の両側表面に凹陥した細長溝が設けられ、前記細長溝の中に前記芳香材料が充填されていることがある。
【０００７】
或いは、本考案の歯間清掃具は、糸張り部、フロス糸、ハンドルを含み、前記ハンドルの一端に前記糸張り部が設けられ、前記ハンドルの他端が延伸されて尖った細い楊枝部が形成され、前記糸張り部に前記フロス糸が架設され、前記糸張り部の表面に芳香材料及びフッ化物含有材料が設置されている。
この場合、前記糸張り部の両側表面に凹陥した円形槽と細長溝が設けられ、前記円形槽及び前記細長溝のいずれか一方の中に前記芳香材料が充填され、他方の中にフッ化物含有材料が充填されることもある。
前記芳香材料はペースト状としてもよい。
【０００８】
上記第２の課題を解決するために、前記糸張り部がアーチ部と、前記アーチ部の両端から同一側の方向に延伸された第１アーム及び第２アームを備え、前記第１アームと前記第２アームの先端部に同一直線上に位置する第１穿通孔と第２穿通孔をそれぞれ形成し、前記第１アーム及び第２アームの外側面において、前記第１穿通孔と前記第２穿通孔が形成された位置に第１凹陥部と第２凹陥部をそれぞれ設け、前記フロス糸を前記第１穿通孔と前記第２穿通孔に挿通すると共に、前記フロス糸の両端部を前記第１凹陥部及び前記第２凹陥部の内部で溶融して固定するとよい。
【考案の効果】
【０００９】
本考案によれば、歯を清掃した時、唇または口腔のその他部位が芳香材料に触れて、口腔中に芳香が広がり、歯の表面に虫歯を予防する効果のあるフッ化物を残留させることができる。
請求項７に係る考案によれば、フロス糸の両端部に平坦な表面が形成され、フロス糸の尖った先端が糸張り部の外側面に露出して歯茎を傷付けたり不快感を与えたりすることがない。
【図面の簡単な説明】
【００１０】
【図１】本考案の実施例１を示す歯間清掃具の斜視図である。
【図２】本考案の実施例２を示す歯間清掃具の斜視図である。
【図３】本考案の実施例３を示す歯間清掃具の斜視図である。
【図４−１】本考案の歯間清掃具の製造方法において、フロス糸が複数の歯間清掃具に挿通された状態を示す概略図である。
【図４−２】本考案の歯間清掃具の製造方法において、フロス糸の両端が切断された後の状態を示す概略図である。
【考案を実施するための形態】
【００１１】
以下、本考案の実施例を図面に基づいて詳細に説明する。
図１は本考案の実施例１を示す。
図１に示すように、本考案の歯間清掃具は、糸張り部１０、フロス糸２０、ハンドル３０を含む。
糸張り部１０はハンドル３０の一端に連続して設けられ、ハンドル３０の他端が延伸されて尖った細い楊枝部３１が形成される。
【００１２】
糸張り部１０はアーチ部１５と、アーチ部１５の両端から同一側の方向に延伸された第１アーム１６ａ及び第２アーム１６ｂを備える。
第１アーム１６ａと第２アーム１６ｂの先端部には同一直線上に位置する第１穿通孔１７ａと第２穿通孔１７ｂがそれぞれ形成される。
第１アーム１６ａ及び第２アーム１６ｂの外側面において、第１穿通孔１７ａと第２穿通孔１７ｂが形成された位置に第１凹陥部１８ａと第２凹陥部１８ｂをそれぞれ設けてある。
そして、フロス糸２０を第１穿通孔１７ａと第２穿通孔１７ｂに挿通し、フロス糸２０の両端部をそれぞれ第１凹陥部１８ａ及び第２凹陥部１８ｂの内部で溶融して固定してある。
【００１３】
また、糸張り部１０の両側表面１１に芳香材料４０が設置される。芳香材料４０は芳香(例えばミントの香り)を発し、フッ化物を含有する材料とする。
実施例１では、糸張り部１０の両側表面１１にやや凹陥した円形槽１２が設けられ、芳香材料４０がこの円形槽１２内に充填される。芳香を持ち、フッ化物を含有する材料をペースト状の芳香材料４０に調製した後、糸張り部１０の相対する両側表面１１のあらかじめ定めた位置に設けた円形槽１２内に塗布する。
従って、この歯間清掃具を使用して歯を清掃すると、唇または口腔のその他部位が芳香材料に触れて、口腔中に芳香が広がり、歯の表面に虫歯を予防する効果のあるフッ化物を残留させることができる。
【００１４】
図２は、本考案の実施例２を示す。
実施例２では、糸張り部１０の両側表面１１にやや凹陥した細長溝１３を設け、芳香材料４０がこの細長溝１３内に充填されている。
【００１５】
図３は、本考案の実施例３を示す。
実施例３では、糸張り部１０の両側表面１１にやや凹陥した円形槽１２と細長溝１３を備える。円形槽１２には芳香を発する芳香材料４０ａが充填され、細長溝１３にはフッ化物含有材料４０ｂが充填されている。
なお、円形槽１２にフッ化物含有材料４０ｂを充填し、細長溝１３に芳香材料４０ａを充填してもよい。
実施例２及び実施例３において、その他の構造は実施例１と同様である。
【００１６】
本考案の歯間清掃具を大量生産するには、図４−１に示すように、フロス糸２０を架設する前の複数の歯間清掃具を、第１穿通孔１７ａ及び第２穿通孔１７ｂが一直線上に配置されるように並べ、長いフロス糸２０を第１穿通孔１７ａ及び第２穿通孔１７ｂに挿通する。
その後、図４−２に示すように、フロス糸２０を各糸張り部１０の間の位置で切断すると同時に、熱溶融によってフロス糸２０の両端を溶融させ、凝結後のフロス糸２０の両端部を第１凹陥部１８ａと第２凹陥部１８ｂの内部において固定する。この結果、糸張り部１０の外側面に露出するフロス糸２０の両端部には平坦な表面が形成され、突出した尖った先端が歯茎を傷付けたり不快感を与えたりすることがない。
フロス糸２０を切断するには、刃部５１を備えるとともに加熱を行なうカッター５０を利用し、切断と同時にフロス糸２０の切断箇所を溶融させることで、フロス糸２０の両端を溶融させ、凝結後に第１凹陥部１８ａと第２凹陥部１８ｂにちょうど入り込むようにする。
【００１７】
以上の説明は本考案の権利範囲を限定するものではなく、当業者が本考案の要旨の範囲内で変更や修飾を行うことは可能であり、本考案の権利範囲は実用新案登録請求の範囲の記載による。
【符号の説明】
【００１８】
１０      糸張り部
１１      表面
１２      円形槽
１３      細長溝
１５      アーチ部
１６ａ    第１アーム
１６ｂ    第２アーム
１７ａ    第１穿通孔
１７ｂ    第２穿通孔
１８ａ    第１凹陥部
１８ｂ    第２凹陥部
２０      フロス糸
３０      ハンドル
３１      楊枝部
４０      芳香材料
４０ａ    芳香材料
４０ｂ    フッ化物含有材料
５０      カッター
５１      刃部
【図１】
0003185274.tif 000003
【図２】
0003185274.tif 000004
【図３】
0003185274.tif 000005
【図４−１】
0003185274.tif 000006
【図４−２】
0003185274.tif 000007